(57)【要約】  【課題】冷却または加温して販売する自動販売機において、商品が補充された直後、商品が適温となっている最初の１本について販売をできるようにした自動販売機の提供を目的とする。  【解決手段】商品収納部と、商品検知手段３と、商品選択手段４と、販売表示部５と、売切表示部６と、準備中表示部７と、商品検知手段３と商品選択手段４とに接続された演算制御部８ａによって、商品が補充された直後に、商品が適温となっている最初の１本を販売した後、一定時間の間、準備中ランプを点灯さて販売を休止することが可能となる。【選択図】図３
2008217402.tif 000002
【特許請求の範囲】
【請求項１】
庫内に商品を収納して冷却または加温して販売する自動販売機において、庫内の商品温度が適温でないことを示す準備中表示部と、商品が売り切れまたは補充されたことを検知する商品検知手段を備え、前記商品検知手段は商品収納部下部に商品が１個残った状態で売り切れ状態を検知する自動販売機において、前記商品検知手段によって商品が売り切れ状態になったことを検知し、商品補充直後において、補充した商品の温度に関係なく、前記準備中表示部を解除して販売動作可能とし、商品が１本販売された後、前記準備中表示部を作動させて一定時間の間表示させることを特徴とする自動販売機。
【請求項２】
売り切れ検知後の商品補充直後において、商品１本の販売可否を設定するための販売可否設定手段を備え、商品売り切れ検知後の商品補充直後において、前記準備中表示部を商品が１本販売される前または後に一定時間の間表示させることを特徴とした請求項１に記載の自動販売機。
【請求項３】
商品が補充されたコラム数を計数して記憶するための補充数記憶手段を備え、商品売り切れ検知後の商品補充直後において、庫内の複数コラムに商品が補充された場合には、前記準備中表示部を商品補充直後に一定時間の間表示させることを特徴とした請求項１に記載の自動販売機。
【請求項４】
ドアの開閉を検知するための開閉検知手段と、ドアが開けられていた時間を計数するためのタイマー手段を備え、商品売り切れ検知後の商品補充直後において、ドアの開閉時間に応じて、前記準備中表示部を商品補充直後または商品が１本販売された後に一定時間の間表示させることを特徴とした請求項１に記載の自動販売機。
【請求項５】
売り切れ検知後の商品補充直後において、最初の１本の商品温度を検知するための商品温度検知手段を備え、商品売り切れ検知後の商品補充直後において、最初の１本の商品温度が販売可能な温度である場合には、前記準備中表示部を商品が１本販売されてから一定時間の間表示させることを特徴とした請求項１に記載の自動販売機。
【発明の詳細な説明】
【技術分野】
【０００１】
本発明は、缶飲料など商品を冷却または加温して販売する自動販売機の表示装置に関するものである。
【背景技術】
【０００２】
近年、冷却または加温して庫内に収納された商品を販売可能な自動販売機において、商品が補充されて販売動作を開始するまでの調温中の状態であることを示す準備中表示部を商品選択手段のそれぞれに対して設けられたものが提案されている（例えば、特許文献１参照）。
【０００３】
以下、図面を参照しながら従来の自動販売機を説明する。
【０００４】
図１３は特許文献１に記載された従来の自動販売機を示すものである。図１３に示すように、商品選択手段１２と、販売ランプ１５，売切ランプ１６と、準備中ランプ１７と、制御部１８とから構成されている。
【０００５】
以上のように構成された従来の自動販売機について、以下その動作を説明する。
【０００６】
庫内の商品が販売された後、売り切れが検知された場合には、売切ランプ１６を点灯させ、商品が補充された場合には、売切ランプを消灯させ、販売動作を開始するまでの調温中の状態であることを示す準備中ランプ１７を点灯させることで、商品選択手段１２を見ることで、その商品が補充された直後の調温中の状態あるいは売り切れであるのかを容易に判別することができる。
【特許文献１】特開２００１−２３０１６号公報
【発明の開示】
【発明が解決しようとする課題】
【０００７】
しかしながら、上記従来の構成では、商品が補充された直後は、商品が適温でないということで、一定時間の間、準備中ランプを点灯さて販売を休止するため、商品が適温となっている最初の１本についても販売を休止してしまうという課題を有していた。
【０００８】
本発明は従来の課題を解決するもので、商品が補充された直後に、商品が適温となっている最初の１本を販売した後、一定時間の間、準備中ランプを点灯さて販売を休止することのできる自動販売機を提供することを目的とする。
【課題を解決するための手段】
【０００９】
上記従来の課題を解決するために、本発明の自動販売機は、庫内に商品を収納して冷却または加温して販売する自動販売機において、商品収納部の最下部に商品を１個残した状態で売り切れ状態となるため、商品補充動作により、補充商品の温度に関係なく売り切れ状態を解除し、補充前から残留している商品だけを販売可能とするものである。
【００１０】
そして１個の商品が販売されると、準備中表示に切替えて補充商品の適温化を図るものであり、これによって、適温となっている商品の販売機会を逃さないようにしている。
【発明の効果】
【００１１】
本発明の自動販売機は、商品が補充された直後に、商品が適温となっている最初の１本を販売した後、一定時間の間、準備中ランプを点灯さて販売を休止することができ、売上を低減させることなく、サービスの向上が可能となる。
【発明を実施するための最良の形態】
【００１２】
請求項１に記載の発明は、庫内に商品を収納して冷却または加温して販売する自動販売機において、庫内の商品温度が適温でないことを示す準備中表示部と、商品が売り切れまたは補充されたことを検知する商品検知手段を備え、前記商品検知手段は商品収納部下部に商品が１個残った状態で売り切れ状態を検知する自動販売機において、前記商品検知手段によって商品が売り切れ状態になったことを検知し、商品補充直後において、補充した商品の温度に関係なく、前記準備中表示部を解除して販売動作可能とし、商品が１本販売された後、前記準備中表示部を作動させて一定時間の間表示させることにより、商品が補充された直後に、商品が適温となっている最初の１本を販売した後、一定時間の間、準備中ランプを点灯さて販売を休止することが可能となる。
【００１３】
請求項２に記載の発明は、請求項１に記載の発明に、さらに、売り切れ検知後の商品補充直後において、商品を１本の販売可否を設定するための販売可否設定手段を備え、商品売り切れ検知後の商品補充直後において、前記準備中表示部を商品が１本販売される前または後に一定時間の間表示させることにより、商品が補充された直後の最初の１本の販売可否を任意に設定するこができ、冷温切換などにより、売り切れ検知後に商品が１本搬出された場合には、商品が補充された直後に、一定時間の間、準備中ランプを点灯さて販売を休止することが可能となる。
【００１４】
本発明の請求項３に記載の発明は、請求項１に記載の発明に、さらに、商品が補充されたコラム数を計数して記憶するための補充数記憶手段を備え、商品売り切れ検知後の商品補充直後において、庫内の複数コラムに商品が補充された場合には、前記準備中表示部を商品補充直後に一定時間の間表示させることにより、商品が補充された直後の最初の１本の販売可否を補充されたコラム数により設定するこができ、商品補充による庫内温度の変化により、最初の１本が適温でない場合には、商品が補充された直後に、一定時間の間、準備中ランプを点灯さて販売を休止しすることが可能となる。
【００１５】
本発明の請求項４に記載の発明は、請求項１に記載の発明に、さらに、ドアの開閉を検知するための開閉検知手段と、ドアが開けられていた時間を計数するためのタイマー手段を備え、商品売り切れ検知後の商品補充直後において、ドアの開閉時間に応じて、前記準備中表示部を商品補充直後または商品が１本販売された後に一定時間の間表示させることにより、商品が補充された直後の最初の１本の販売可否をドアが開けられていた時間により設定するこができ、外気にさらされることにより、最初の１本が適温でない場合には、商品が補充された直後に、一定時間の間、準備中ランプを点灯さて販売を休止することが可能となる。
【００１６】
本発明の請求項５に記載の発明は、請求項１に記載の発明に、さらに、売り切れ検知後の商品補充直後において、最初の１本の商品温度を検知するための商品温度検知手段を備え、商品売り切れ検知後の商品補充直後において、最初の１本の商品温度が販売可能な温度である場合には、前記準備中表示部を商品が１本販売されてから一定時間の間表示させることにより、商品が補充された直後の最初の１本の販売可否を商品温度により設定するこができ、商品が適温でない場合には、商品が補充された直後に、最初の１本が適温となるまでの間、準備中ランプを点灯さて販売を休止することが可能となる。
【００１７】
（実施の形態１）
図１は、本発明の実施の形態１による自動販売機全体の概略構成図である。図２は、本発明の実施の形態１による自動販売機の商品収納部の概略構成図である。図３は、本発明の実施の形態１による自動販売機の機能ブロック図である。図４は、本発明の実施の形態１による自動販売機の動作を示すフローチャートである。
【００１８】
図１、図２、図３において、庫内に商品を収納して冷却または加温して販売する自動販売機本体１には、それぞれ同種類の商品を収納するとともに補充順に商品を払い出す商品払い出し機能を有する複数の商品収納部２と、各商品収納部２における商品の部売り切れまたは補充を検知する商品検知手段３と、各商品収納部２の商品に対応する商品選択手段４と、商品選択手段４に設けられた庫内の商品が販売可能であるか否かを示す販売表示部５と、商品選択手段４に設けられた庫内の商品が売り切れか否かを示す売切表示部６と、商品選択手段４に設けられた庫内の商品が調温中であることを示す準備中表示部７と、商品検知手段３と商品選択手段４とに接続された演算制御部８ａによって制御される。
【００１９】
以上のように構成された自動販売機について、以下その演算制御部８ａの動作、作用を図４のフローチャートをもとにして説明する。
【００２０】
まず、商品の販売動作後に商品検知手段３が検知されたかの確認を行う（ＳＴＥＰ１）。商品検知手段３により、売り切れが検知されなかった場合は、処理を終了する。売り切れが検知された場合は、商品選択手段４に設けられた売切表示部６の赤色ランプを点灯させる（ＳＴＥＰ２）。売り切れが検知されている商品選択手段４に対応する商品収納部２に商品が補充されたかの確認を行う（ＳＴＥＰ３）。
【００２１】
売り切れが検知されている商品選択手段４に対応する商品収納部２に商品が補充されなかった場合は、処理を終了する。売り切れが検知されている商品選択手段４に対応する商品収納部２に商品が補充された場合には、商品選択手段４に設けられた売切表示部６の赤色ランプを消灯させる（ＳＴＥＰ４）。商品収納部２に販売されずに残っていた最初の一本が販売されたかの確認を行う（ＳＴＥＰ５）。販売されなかった場合には、処理を終了する。
【００２２】
販売された場合には、商品選択手段４に設けられた準備中表示部７の橙色ランプを点灯させる（ＳＴＥＰ６）。準備中表示部７の橙色ランプを点灯した後、一定の時間が経過したかの確認を行う（ＳＴＥＰ７）。準備中表示部７の橙色ランプを点灯した後、一定の時間が経過していなかった場合には、処理を終了する。準備中表示部７の橙色ランプを点灯した後、一定の時間が経過した場合には、準備中表示部７の橙色ランプを消灯させる（ＳＴＥＰ８）。
【００２３】
以上のように、本実施の形態においては、庫内に商品を収納して冷却または加温して販売する自動販売機において、商品選択手段に設けられた庫内の商品温度が適温でないことを示す準備中表示部と、商品が売り切れまたは補充されたことを検知する商品検知手段を備え、商品売り切れ検知後の商品補充直後において、前記準備中表示部を商品が１本販売されてから一定時間の間表示させることにより、商品が補充された直後に、商品が適温となっている最初の１本を販売した後、一定時間の間、準備中ランプを点灯さて販売を休止することが可能となる。
【００２４】
（実施の形態２）
図５は、本発明の実施の形態２による自動販売機の機能ブロック図である。図６は、本発明の実施の形態２による自動販売機の動作を示すフローチャートである。
【００２５】
図５において、販売可否設定手段９は、演算制御部８ｂに接続し、売り切れ検知後の商品補充直後において、商品１本の販売可否を設定するためのものである。
【００２６】
本実施の形態は、実施の形態１による自動販売機に、さらに、売り切れ検知後の商品補充直後において、商品１本の販売可否を設定するための販売可否設定手段９を設けたものである。
【００２７】
以上のように構成された自動販売機について、以下その演算制御部８ｂの動作、作用を図６のフローチャートをもとにして説明する。
【００２８】
まず、商品の販売動作後に商品検知手段３が検知されたかの確認を行う（ＳＴＥＰ１）。商品検知手段３により、売り切れが検知されなかった場合は、処理を終了する。売り切れが検知された場合は、商品選択手段４に設けられた売切表示部６の赤色ランプを点灯させる（ＳＴＥＰ２）。売り切れが検知されている商品選択手段４に対応する商品収納部２に商品が補充されたかの確認を行う（ＳＴＥＰ３）。
【００２９】
売り切れが検知されている商品選択手段４に対応する商品収納部２に商品が補充されなかった場合は、処理を終了する。売り切れが検知されている商品選択手段４に対応する商品収納部２に商品が補充された場合には、商品選択手段４に設けられた売切表示部６の赤色ランプを消灯させる（ＳＴＥＰ４）。販売可否設定手段９により最初の１本の販売可否の設定確認を行う（ＳＴＥＰ９）。
【００３０】
最初の１本の販売可設定の場合には、商品収納部２に販売されずに残っていた最初の一本が販売されたかの確認を行う（ＳＴＥＰ５）。販売されなかった場合には、処理を終了する。販売された場合には、商品選択手段４に設けられた準備中表示部７の橙色ランプを点灯させる（ＳＴＥＰ６）。最初の１本の販売否設定の場合には、商品選択手段４に設けられた準備中表示部７の橙色ランプを点灯させる（ＳＴＥＰ６）。
【００３１】
準備中表示部７の橙色ランプを点灯した後、一定の時間が経過したかの確認を行う（ＳＴＥＰ７）。準備中表示部の橙色ランプを点灯した後、一定の時間が経過していなかった場合には、処理を終了する。準備中表示部７の橙色ランプを点灯した後、一定の時間が経過した場合には、準備中表示部７の橙色ランプを消灯させる（ＳＴＥＰ８）。
【００３２】
以上のように、本実施の形態においては、実施の形態１に記載の発明に、さらに、売り切れ検知後の商品補充直後において、商品１本の販売可否を設定するための販売可否設定手段を備え、商品売り切れ検知後の商品補充直後において、前記準備中表示部を商品が１本販売される前または後に一定時間の間表示させることにより、商品が補充された直後の最初の１本の販売可否を任意に設定するこができ、冷温切換などにより、売り切れ検知後に商品が１本搬出された場合には、商品が補充された直後に、一定時間の間、準備中ランプを点灯さて販売を休止することが可能となる。
【００３３】
（実施の形態３）
図７は、本発明の実施の形態３による自動販売機の機能ブロック図である。図８は、本発明の実施の形態３による自動販売機の動作を示すフローチャートである。
【００３４】
図７において、補充数記憶手段１０は、演算制御部８ｃに接続し、商品が補充されたコラム数を計数して記憶するためのものである。
【００３５】
本実施の形態は、実施の形態１による自動販売機に、さらに、商品が補充されたコラム数を計数して記憶するための補充数記憶手段１０を設けたものである。
【００３６】
以上のように構成された自動販売機について、以下その演算制御部８ｃの動作、作用を図８のフローチャートをもとにして説明する。
【００３７】
まず、商品の販売動作後に商品検知手段３が検知されたかの確認を行う（ＳＴＥＰ１）。商品検知手段３により、売り切れが検知されなかった場合は、処理を終了する。売り切れが検知された場合は、商品選択手段４に設けられた売切表示部６の赤色ランプを点灯させる（ＳＴＥＰ２）。売り切れが検知されている商品選択手段４に対応する商品収納部２に商品が補充されたかの確認を行う（ＳＴＥＰ３）。
【００３８】
売り切れが検知されている商品選択手段４に対応する商品収納部２に商品が補充されなかった場合は、処理を終了する。売り切れが検知されている商品選択手段４に対応する商品収納部２に商品が補充された場合には、商品選択手段４に設けられた売切表示部６の赤色ランプを消灯させる（ＳＴＥＰ４）。補充された収納部数の確認を行う（ＳＴＥＰ１０）。補充された収納部数が単数であった場合には、商品収納部２に販売されずに残っていた最初の一本が販売されたかの確認を行う（ＳＴＥＰ５）。
【００３９】
販売されなかった場合には、処理を終了する。販売された場合には、商品選択手段４に設けられた準備中表示部７の橙色ランプを点灯させる（ＳＴＥＰ６）。補充された収納部数が複数であった場合には、商品選択手段４に設けられた準備中表示部７の橙色ランプを点灯させる（ＳＴＥＰ６）。準備中表示部７の橙色ランプを点灯した後、一定の時間が経過したかの確認を行う（ＳＴＥＰ７）。
【００４０】
準備中表示部７の橙色ランプを点灯した後、一定の時間が経過していなかった場合には、処理を終了する。準備中表示部７の橙色ランプを点灯した後、一定の時間が経過した場合には、準備中表示部７の橙色ランプを消灯させる（ＳＴＥＰ８）。
【００４１】
以上のように、本実施の形態においては、実施の形態１に記載の発明に、さらに、商品が補充されたコラム数を計数して記憶するための補充数記憶手段を備え、商品売り切れ検知後の商品補充直後において、庫内の複数コラムに商品が補充された場合には、前記準備中表示部を商品補充直後に一定時間の間表示させることにより、商品が補充された直後の最初の１本の販売可否を補充されたコラム数により設定するこができ、商品補充による庫内温度の変化により、最初の１本が適温でない場合には、商品が補充された直後に、一定時間の間、準備中ランプを点灯さて販売を休止しすることが可能となる。
【００４２】
（実施の形態４）
図９は、本発明の実施の形態４による自動販売機の機能ブロック図である。図１０は、本発明の実施の形態４による自動販売機の動作を示すフローチャートである。
【００４３】
図９において、タイマー手段１１は、演算制御部８ｄに接続し、ドアの開閉を検知するための開閉検知手段と、ドアが開けられていた時間を計数するための外気温度を測定するためのものである。
【００４４】
本実施の形態は、実施の形態１による自動販売機に、さらに、ドアの開閉を検知するための開閉検知手段と、ドアが開けられていた時間を計数するためのタイマー手段１１を設けたものである。
【００４５】
以上のように構成された自動販売機について、以下その演算制御部８ｄの動作、作用を図１０のフローチャートをもとにして説明する。
【００４６】
まず、商品の販売動作後に商品検知手段３が検知されたかの確認を行う（ＳＴＥＰ１）。商品検知手段３により、売り切れが検知されなかった場合は、処理を終了する。売り切れが検知された場合は、商品選択手段４に設けられた売切表示部６の赤色ランプを点灯させる（ＳＴＥＰ２）。
【００４７】
売り切れが検知されている商品選択手段４に対応する商品収納部２に商品が補充されたかの確認を行う（ＳＴＥＰ３）。売り切れが検知されている商品選択手段４に対応する商品収納部２に商品が補充されなかった場合は、処理を終了する。売り切れが検知されている商品選択手段４に対応する商品収納部に商品が補充された場合には、商品選択手段４に設けられた売切表示部６の赤色ランプを消灯させる（ＳＴＥＰ４）。
【００４８】
商品補充時にドアが開けられてから閉じられるまでの時間の確認を行う（ＳＴＥＰ１１）。商品補充時にドアが開けられてから閉じられるまでの時間が規定値未満の場合には、商品収納部２に販売されずに残っていた最初の一本が販売されたかの確認を行う（ＳＴＥＰ５）。販売されなかった場合には、処理を終了する。商品補充時にドアが開けられてから閉じられるまでの時間が規定値以上の場合には、商品選択手段４に設けられた準備中表示部７の橙色ランプを点灯させる（ＳＴＥＰ６）。
【００４９】
最初の１本の販売否設定の場合には、商品選択手段４に設けられた準備中表示部７の橙色ランプを点灯させる（ＳＴＥＰ６）。準備中表示部７の橙色ランプを点灯した後、一定の時間が経過したかの確認を行う（ＳＴＥＰ７）。準備中表示部７の橙色ランプを点灯した後、一定の時間が経過していなかった場合には、処理を終了する。準備中表示部７の橙色ランプを点灯した後、一定の時間が経過した場合には、準備中表示部７の橙色ランプを消灯させる（ＳＴＥＰ８）。
【００５０】
以上のように、本実施の形態においては、実施の形態１に記載の発明に、さらに、ドアの開閉を検知するための開閉検知手段と、ドアが開けられていた時間を計数するためのタイマー手段を備え、商品売り切れ検知後の商品補充直後において、ドアの開閉時間に応じて、前記準備中表示部を商品補充直後または商品が１本販売された後に一定時間の間表示させることにより、商品が補充された直後の最初の１本の販売可否をドアが開けられていた時間により設定するこができ、外気にさらされることにより、最初の１本が適温でない場合には、商品が補充された直後に、一定時間の間、準備中ランプを点灯さて販売を休止することが可能となる。
【００５１】
（実施の形態５）
図１１は、本発明の実施の形態５による自動販売機の機能ブロック図である。図１２は、本発明の実施の形態５による自動販売機の動作を示すフローチャートである。
【００５２】
図１１において、商品温度検知手段１２は、演算制御部８ｅに接続し、売り切れ検知後の商品補充直後において、最初の１本の商品温度を検知するためのものである。
【００５３】
本実施の形態は、実施の形態１による自動販売機に、さらに、売り切れ検知後の商品補充直後において、最初の１本の商品温度を検知するための商品温度検知手段１２を設けたものである。
【００５４】
以上のように構成された自動販売機について、以下その演算制御部８ｅの動作、作用を図１２のフローチャートをもとにして説明する。
【００５５】
まず、商品の販売動作後に商品検知手段３が検知されたかの確認を行う（ＳＴＥＰ１）。商品検知手段３により、売り切れが検知されなかった場合は、処理を終了する。売り切れが検知された場合は、商品選択手段４に設けられた売切表示部６の赤色ランプを点灯させる（ＳＴＥＰ２）。売り切れが検知されている商品選択手段４に対応する商品収納部２に商品が補充されたかの確認を行う（ＳＴＥＰ３）。
【００５６】
売り切れが検知されている商品選択手段４に対応する商品収納部２に商品が補充されなかった場合は、処理を終了する。売り切れが検知されている商品選択手段４に対応する商品収納部２に商品が補充された場合には、商品選択手段４に設けられた売切表示部６の赤色ランプを消灯させる（ＳＴＥＰ４）。商品温度検知手段１２により最初の１本の商品温度の確認を行う（ＳＴＥＰ１２）。商品温度が規定値以上の場合には、準備中表示部７の橙色ランプが点灯していれば消灯し（ＳＴＥＰ１３）、商品収納部２に販売されずに残っていた最初の一本が販売されたかの確認を行う（ＳＴＥＰ５）。販売されなかった場合には、処理を終了する。
【００５７】
販売された場合には、商品選択手段４に設けられた準備中表示部７の橙色ランプを点灯させる（ＳＴＥＰ６）。商品温度が規定値未満の場合には、商品選択手段４に設けられた準備中表示部７の橙色ランプを点灯させる（ＳＴＥＰ６）。準備中表示部７の橙色ランプを点灯した後、一定の時間が経過したかの確認を行う（ＳＴＥＰ７）。準備中表示部７の橙色ランプを点灯した後、一定の時間が経過していなかった場合には、処理を終了する。準備中表示部７の橙色ランプを点灯した後、一定の時間が経過した場合には、準備中表示部７の橙色ランプを消灯させる（ＳＴＥＰ８）。
【００５８】
以上のように、本実施の形態においては、実施の形態１に記載の発明に、さらに、売り切れ検知後の商品補充直後において、最初の１本の商品温度を検知するための商品温度検知手段を備え、商品売り切れ検知後の商品補充直後において、最初の１本の商品温度が販売可能な温度である場合には、前記準備中表示部を商品が１本販売されてから一定時間の間表示させることにより、商品が補充された直後の最初の１本の販売可否を商品温度により設定するこができ、商品が適温でない場合には、商品が補充された直後に、最初の１本が適温となるまでの間、準備中ランプを点灯さて販売を休止することが可能となる。
【産業上の利用可能性】
【００５９】
以上のように、本発明にかかる自動販売機の商品選択手段は、販売可能ランプ、売切ランプ、準備中ランプを備えることにより、現在の庫内の状態を的確に伝えることができる。このように、庫内の状況が判別しにくい各種自動販売機にも適用できる。
【図面の簡単な説明】
【００６０】
【図１】本発明の実施の形態１における自動販売機全体の概略図
【図２】本発明の実施の形態１における自動販売機の商品収納部の概略構成図
【図３】本発明の実施の形態１における自動販売機の機能ブロック図
【図４】本発明の実施の形態１における自動販売機の動作を示すフローチャート
【図５】本発明の実施の形態２における自動販売機の機能ブロック図
【図６】本発明の実施の形態２における自動販売機の動作を示すフローチャート
【図７】本発明の実施の形態３における自動販売機の機能ブロック図
【図８】本発明の実施の形態３における自動販売機の動作を示すフローチャート
【図９】本発明の実施の形態４における自動販売機の機能ブロック図
【図１０】本発明の実施の形態４における自動販売機の動作を示すフローチャート
【図１１】本発明の実施の形態５における自動販売機の機能ブロック図
【図１２】本発明の実施の形態５における自動販売機の動作を示すフローチャート
【図１３】従来の自動販売機の機能ブロック図
【符号の説明】
【００６１】
１    自動販売機本体
２    商品収納部
３    商品検知手段
４    商品選択手段
５    販売表示部
６    売切表示部
７    準備中表示部
８ａ，８ｂ，８ｃ，８ｄ，８ｅ  演算制御部
９    販売可否設定手段
１０  補充数記憶手段
１１  タイマー手段
１２  商品温度検知手段
【図１】
2008217402.tif 000003
【図２】
2008217402.tif 000004
【図３】
2008217402.tif 000005
【図４】
2008217402.tif 000006
【図５】
2008217402.tif 000007
【図６】
2008217402.tif 000008
【図７】
2008217402.tif 000009
【図８】
2008217402.tif 000010
【図９】
2008217402.tif 000011
【図１０】
2008217402.tif 000012
【図１１】
2008217402.tif 000013
【図１２】
2008217402.tif 000014
【図１３】
2008217402.tif 000015